(57)【要約】【課題】回転コネクタ付の装飾ランプチェーンを提供する。【解決手段】回転コネクタ付の装飾ランプチェーンは、ランプチェーンと回転コネクタで構成され、ランプチェーンは、数個の発光ダイオードランプを導線で直列に接続され、導線を通じて回転コネクタに接続する。当該回転コネクタは順番に絶縁本体、回転ケース、末端に設置される接続部を含み、本体内には電気回路が設けられ、獲得した電源は整流後にランプチェーンを駆動することができる。本考案の機構により、各種型式の慣用ランプソケットに使用でき、発光ダイオードランプチェーンの使用範囲のほかに、慣用ランプ装飾に新しい風格をもたらし、異なるランプの変化を生み出すことができ、同時に設置にも便利である。【選択図】図１
0003126682.tif 000002
【実用新案登録請求の範囲】
【請求項１】
ランプチェーン、回転コネクタを含み、
ランプチェーンは、数個の発光ダイオードランプを導線につなぎ合わせて作られ、
回転コネクタは、絶縁本体、金属の回転ケース、末端に設置される接続部を含み、本体内部には電気回路を設け、またそれぞれ回転ケースと接触部に互いに接続し、入力の交流電流を直流電流の出力に変換し、出力側線路は前述の導線に互いに接続することを特徴とする回転コネクタ付の装飾ランプチェーン。
【請求項２】
請求項１記載の回転コネクタ付の装飾ランプチェーンにおいて、当該本体内部に絶縁および不燃材料を備え、関連電気回路をその中に密封することを特徴とする回転コネクタ付の装飾ランプチェーン。
【請求項３】
請求項１記載の回転コネクタ付の装飾ランプチェーンにおいて、当該ランプチェーンは可変性の構造を持つことを特徴とする回転コネクタ付の装飾ランプチェーン。
【請求項４】
請求項１記載の回転コネクタ付の装飾ランプチェーンにおいて、当該回転コネクタの回転ケースおよび接触部の形状構造は、組み合わせて使用するランプソケット規格により定まることを特徴とする回転コネクタ付の装飾ランプチェーン。
【請求項５】
請求項１記載の回転コネクタ付の装飾ランプチェーンにおいて、当該本体内の電気回路には整流電気回路を含むことを特徴とする回転コネクタ付の装飾ランプチェーン。
【請求項６】
請求項１記載の回転コネクタ付の装飾ランプチェーンにおいて、当該本体内の電気回路内にはフューズを設けることを特徴とする回転コネクタ付の装飾ランプチェーン。
【考案の詳細な説明】
【技術分野】
【０００１】
本考案はランプチェーンの技術領域であり、特に回転コネクタを備えるランプチェーンを指し、その電力源は回転ソケットを備える慣用ランプソケットから取ることができ、製品の使用範囲を大幅に拡大し、装飾を配置する上でもより簡単で容易である。
【背景技術】
【０００２】
発光ダイオードは、使用寿命が長く、省電力、耐久性、耐震、堅牢、小体積、反応が早いなどの多数のメリットを備え、現在各種造型のランプチェーンの間で広く用いられており、提供でき、異なった色の光源を利用して、消費者の装飾使用において雰囲気を添える。しかしどのようにその使用範囲を拡大し、製品に違った価値を創造できるであろうか。もし慣用製品と組み合わせて使用できれば、慣用製品に本来の利用価値を発揮させ、新製品の生み出す新しい視覚効果を合わせ、消費者使用の利便性を向上できる。
【０００３】
現在伝統的なフィラメントランプで制作するやや大きなランプチェーンは、明るさがやや高いため、未だに広く消費者に使用されている。この類のランプチェーンの特色は各ソケットにはすべて回転ソケットを持ち、ランプは底部の金属回転コネクタを回転させてランプソケットに固定される。この類のランプチェーンの各組にも数十個のランプを設ける。
【考案の開示】
【考案が解決しようとする課題】
【０００４】
本考案の構想もこれと組み合わせて使用することを希望しており、ランプの1つが損傷したとき、或いは消費者が新しいランプ光の変化を生み出したいとき、本考案の発光ダイオードランプチェーンとこれと結合させて使用し、数個のソケットで新たな照明設備を接続する必要ななく、装飾の設置上より便利であり、より多くの光源もあり、多様なランプの色で慣用製品の雰囲気を増加させ、両者がお互いに補完し、製品の使用の便利性を高める目的を達成する。
【０００５】
本考案の主要な目的は複数のソケットが必要なく、既知製品本来の電灯ソケットを利用して、これと組み合わせて、慣用製品と直接接続して使用できる設計であり、この構造は主に発光ダイオードのランプチェーンの導線末端に回転コネクタを接続し、回転コネクタのサイズは慣用のランプソケットの形状と対応し、使用は慣用ランプを取り外した後、本考案のランプチェーンの回転コネクタを締めて使用し、伝統的なランプ下で各種異なる変化を生み出し、慣用製品に新しい価値と美を創出すると同時に、使用する場合に数個のソケットは必要なく、使用者が装飾を配置するうえでより便利であり、完成後の装飾物周囲には電線が散らばる状況は見られない。
【０００６】
本考案の次の目的は安全で信頼でき、造型が多様な回転コネクタを持つランプチェーンであり、本考案の回転コネクタ内部には関連する電気回路を隠し持ち、電圧の流れ、電流は効果的に制御され、負荷が過度の場合、フューズを利用して電気を切断し、使用上の安全性を高める。全体の造型は多様であり、単一或いはチェーン状、または網状、或いは簾状のランプ装飾、または立体造型を備えるもの等が可能であり、更には制御ボックスを追加する方式でランプ点滅の形態を変えることが可能であり、例えば、間をおいた点滅、徐々に明るくなる、または組に分けて光る等の各種型式があり、ランプ光により変化をもたらし、製品使用の場所と範囲を増やす。
【０００７】
上述の目的を達するため、本考案は主に発行ダイオードのランプチェーンの導線末端を回転コネクタに接続し、回転コネクタは順に絶縁本体、回転ケース、末端に設置される接続部を含み、本体内には電気回路を設け、獲得した電源を整流高圧を経てデフォルトの直流電流を出力し、発光ダイオードランプチェーンを駆動し、回転コネクタを慣用の電灯ソケット部に使用でき、また内部電気回路の設計を調整後、各種型式の既知のソケット部に合わせて使用できる。
【課題を解決するための手段】
【０００８】
請求項１の考案は、ランプチェーン、回転コネクタを含み、
ランプチェーンは、数個の発光ダイオードランプを導線につなぎ合わせて作られ、
回転コネクタは、絶縁本体、金属の回転ケース、末端に設置される接続部を含み、本体内部には電気回路を設け、またそれぞれ回転ケースと接触部に互いに接続し、入力の交流電流を直流電流の出力に変換し、出力側線路は前述の導線に互いに接続することを特徴とする回転コネクタ付の装飾ランプチェーンとしている。
請求項２の考案は、請求項１記載の回転コネクタ付の装飾ランプチェーンにおいて、当該本体内部に絶縁および不燃材料を備え、関連電気回路をその中に密封することを特徴とする回転コネクタ付の装飾ランプチェーンとしている。
請求項３の考案は、請求項１記載の回転コネクタ付の装飾ランプチェーンにおいて、当該ランプチェーンは可変性の構造を持つことを特徴とする回転コネクタ付の装飾ランプチェーンとしている。
請求項４の考案は、請求項１記載の回転コネクタ付の装飾ランプチェーンにおいて、当該回転コネクタの回転ケースおよび接触部の形状構造は、組み合わせて使用するランプソケット規格により定まることを特徴とする回転コネクタ付の装飾ランプチェーンとしている。
請求項５の考案は、請求項１記載の回転コネクタ付の装飾ランプチェーンにおいて、当該本体内の電気回路には整流電気回路を含むことを特徴とする回転コネクタ付の装飾ランプチェーンとしている。
請求項６の考案は、請求項１記載の回転コネクタ付の装飾ランプチェーンにおいて、当該本体内の電気回路内にはフューズを設けることを特徴とする回転コネクタ付の装飾ランプチェーンとしている。
【考案の効果】
【０００９】
本考案は回転コネクタ付の装飾ランプチェーンであり、回転ソケットを持つランプソケットと直接結合して使用でき、慣用製品により多くのランプ光の変化をもたらし、その存続価値を長めながら新しい風格を創造し、この種の発光ダイオードを光源とするランプチェーンにおいて、その簡易性と配置上の美しさを表現する。
【考案を実施するための最良の形態】
【００１０】
図１は、本考案の立体図を示し、本考案は主にランプチェーン1および回転コネクタ2により構成され、ランプチェーン1は数個の発光ダイオードを光源とする発光ダイオードランプ11から成り、各発光ダイオードランプ11は少なくとも2本の導線12から直列で成り、導線12は回転コネクタ2に接続し、回転コネクタ2は順に絶縁主体21、金属の回転ケース22、および末端に設置される接触部23を含み、接触部23は末端に設置されるものの、回転ケース22の金属壁には接触しない。これはこの類のコネクタの標準規格および構造であり(因って再び詳細に説明することは避ける)、大小は組み合わせるランプソケットのサイズにより定まる。回転コネクタ2は本体21部と結合し、本体21内部には関連する電気回路を設け、電気回路の入力側線はそれぞれ回転ケース22内壁および接触部23と接続する。主体1内部には絶縁耐熱および不燃材料を持ち、また前述の電気回路はその中に密封され、完全な防水機能を達成し、ランプチェーン1を屋外で吊るして使用することが可能である。しかし主体1の形状は限定されるものではなく、簡単に取り扱えればよい。前述の導線12と主体21内部の電気回路の出力側線路はお互いに接続し、電気回路は整流、降圧などの機能を持ち、ランプソケットから交流電流を獲得し、整流高圧が発光ダイオードを使用する低圧直流電流のために行われ、これによって本考案のランプチェーン1は回転コネクタ2を以って既存の慣用製品のランプソケット部に使用でき、製品の適用範囲を拡大し、使用をより簡単にすると同時に、慣用の商品に新しいランプ光の変化をもたらし、同時に慣用製品の使用価値と便利さを拡張し、消費者も数個のソケットでランプチェーンの接続と配置を行う必要はなく、必要に応じて本考案のランプチェーンを購入するだけでよく、装飾の配置の需要を満たし、簡単で美を併せ持つ。
【００１１】
一般のランプソケットが提供する電源は交流電流であり、本考案の発行ダイオードランプ11は直流電源を使用するため、本操作は回転コネクタ2の本体21内に関連する電気回路を備え、交流電流の直流電流への変換と降圧の機能を提供する。この類の電気回路は実施可能な方式は多くあり、本考案は現在幾つかの方式でその可能性を証明するが、これによってこの種の方式の使用のみに制限するものではない。図２は、本考案の第一種電源回路の表示図であり、電気回路24は主に数個のダイオードから形成される整流電気回路240から構成され、これにより入力側線路241を利用して回転コネクタが獲得した電源を交流電流から電流に変換する。ただし、出力側線路242に接続する発光ダイオード246の数が少なすぎると、通過電流が大きすぎて発光ダイオードが破損するので、発光ダイオード246の数量は50個以上が望ましく、回転コネクタ2は少なくとも50個の発光ダイオードランプ11を接続したランプチェーン1である。ただし安全性を高めるために、出力側線路241にフューズ243を設置でき、フューズ243により負荷が超えると電流を切断させる。
【００１２】
図３は本考案の第二種電気回路の表示図であり、発行ダイオード246の終了が50個以下の場合、この電気回路を採用でき、この電気回路24は整流電気回路240のほか、入力側線路241上に第一補助回路244を設け、それをフィルタ電気回路とし、その中の出力側線242条に第二補助電気回路245をつなげ、それを電気抵抗とし、電気抵抗値と採用する発光ダイオード246の数量をお互いに対応させる。このように電気回路24は50個以下の発光ダイオードランプ11のランプチェーン1に使用できる。
【００１３】
図４は本考案実際の使用時の表示図であり、本考案のランプチェーン1は回転コネクタ2を慣用のランプチェーン4の電灯ソケット41部に挿入でき、元の単一の電球を取り外し、更に回転コネクタ2をランプソケット41部に取り付けると、数十から数百個の発光ダイオードランプチェーン1を形成し、新製品は容易に慣用製品と結合させて使用でき、製品の新しい価値を創造し、消費者が装飾を配置する上でより容易となる。本実施例中に描いたランプソケット41はその中の一種の型式であり、しかしこれに制限されず、米国、カナダ、欧州などのランプソケットの規格はそれぞれ異なり、本考案の回転コネクタ2も使用する地区が異なるため、対応するサイズを合わせ使用し、同時に内部の電気回路も使用地区の電圧が異なるため、対応する設計が存在する。
【００１４】
図５は本考案実際の使用時のもう一つの実施例図であり、本実施例中で使用するもう一種のやや大型の慣用ランプソケット5の構造は、その上部に回転ソケット51を持ち、本考案の回転コネクタ2をこの上に挿入し、この種類の出力する電圧はやや高いため、回転コネクタ2内部の電気回路も対応する設計が存在する。したがって、本考案のランプチェーンは回転ソケットを持つ各種型式の慣用ランプソケットに適用できる。
【００１５】
図６は本考案のもう一つの実施例の使用表示図であり、本実施例中において回転コネクタ2の導線12はまず制御ボックス6に接続し、更に制御ボックス6からは数本の導線12が延び、各導線12は更にそれぞれ各発光ダイオードランプ11と直列に接続し、使用時にはやはり回転コネクタ2を対応するランプソケット部に差し込んで接続して必要な電源を獲得し、更に制御ボックス6内部の電気回路設計を利用して、ランプチェーン1に点滅、徐々に明るくなる、或いは組に分けて光るなどの各種の型式で光り、ランプチェーンに多様なランプ光の変化する効果を演出する。
【００１６】
図７は本考案のもう一つの実施例の使用表示図であり、本実施例中では、ランプチェーンは各種異なる型式であり、例えばランプチェーン1Aは簾状の設計、ランプチェーン1Bは網状の設計、またはランプチェーン1Cのように立体造型のランプ装飾物7に巻き付くなど、装飾物7の造型は人形、動物、星形、花びらなど各種型式があり、本実施例中では5角の星形である。
【００１７】
図８は本考案を実際にクリスマスツリーに配置した表示図であり、図に示すようにクリスマスツリー9上には既に慣用ランプチェーン4を使用して適切な配置がなされており、消費者が更に美しい造型を希望する場合、部分的な電球を取り外し、本考案のランプチェーン1を取り付け、より多くの光源、各種各様の造型、更に多様なランプ光の色によりクリスマスツリーをより美しくし、その過程において新たなソケットにより本考案のランプチェーンを接続する必要はなく、消費者の使用上更に便利であり、完成後に電線が散らばっている状況はなく、全体はより簡潔に美しくなる。
【図面の簡単な説明】
【００１８】
【図１】本考案一番目の実施例の立体図である。
【図２】本考案電気回路の一番目の電気回路図である。
【図３】本考案電気回路の二番目の電気回路図である。
【図４】本考案実際使用時に組み合わせる慣用ランプチェーンの立体図である。
【図５】本考案実際使用時に組み合わせる慣用ランプソケットの立体図である。
【図６】本考案二番目の実施例の立体図である。
【図７】本考案三番目の実施例の平面図である。
【図８】本考案をクリスマスツリー上に使用したときの平面図である。
【符号の説明】
【００１９】
1  ランプチェーン
1A、1B、1C  ランプチェーン
11  発光ダイオードランプ  
12  導線
2  回転コネクタ
21  本体  
22  回転ケース
23  接触部  
24  電気回路
240  整流電気回路  
241  入力側線路
242  出力側線路  
243  フューズ
244  第一補助電気回路  
245  第二補助電気回路
246  発光ダイオード
4  慣用ランプチェーン  
41  ランプソケット
5  慣用ランプソケット  
51  回転ソケット
6  制御ボックス
7  装飾物
9  クリスマスツリー
【図１】
0003126682.tif 000003
【図２】
0003126682.tif 000004
【図３】
0003126682.tif 000005
【図４】
0003126682.tif 000006
【図５】
0003126682.tif 000007
【図６】
0003126682.tif 000008
【図７】
0003126682.tif 000009
【図８】
0003126682.tif 000010